(57)【要約】【課題】暗所に設定された撮影ポイントを通過する被写体にピントを合わせて自動で撮影でき、撮影結果を被写体となった人物に確実に配布することができる自動撮影システムを提供する。【解決手段】アトラクション利用者１２が撮影ポイントＰを通過すると、そのアトラクション利用者１２が被った無線タグ付きキャップ１６からユーザ特定情報が撮影用無線タグ受信装置７Ａに受信される。撮影／記録制御部２６は、この撮影用無線タグ受信装置７Ａにユーザ特定情報が受信されると、デジタルカメラ２２に撮影処理を実行させ、得られた画像データにユーザ特定情報を付加して画像管理サーバに記録する。デジタルカメラ２２は、あらかじ撮影ポイントＰを通過する被写体にピントが合うように撮影レンズ２８のフォーカス位置が設定されており、これにより、暗所においても被写体にピントが合った撮影を行なうことができる。【選択図】      図１
2005073094.tif 000002
【特許請求の範囲】
【請求項１】
暗所に設定された撮影ポイントを通過する被写体を自動で撮影する自動撮影システムにおいて、
撮影レンズで捉えた被写体の光学像を撮像素子で撮像し、画像データを出力する撮影手段であって、前記撮影ポイントを通過する被写体にピントが合うように、あらかじめ前記撮影レンズのフォーカス位置が設定された撮影手段と、
前記撮影手段から出力された画像データを記録する記録手段と、
被写体となるユーザに携帯され、該ユーザを特定するユーザ特定情報が記録された無線タグと、
前記撮影ポイントに設置され、前記無線タグを携帯したユーザが前記撮影ポイントを通過する際、前記無線タグから前記ユーザ特定情報を受信する無線タグ受信手段と、
前記無線タグ受信手段で前記無線タグから前記ユーザ特定情報が受信されると、前記撮影手段に撮影処理を実行させる撮影制御手段と、
前記撮影手段から出力された画像データを前記無線タグから得られたユーザ特定情報と関連付けて前記記録手段に記録させる記録制御手段と、
からなることを特徴とする自動撮影システム。
【請求項２】
前記撮影手段は、複数の撮影ポイントを通過する被写体を撮影可能であって、
前記撮影レンズのフォーカス位置を調節するフォーカス位置調節手段と、
前記各撮影ポイントごとに設定すべき前記撮影レンズのフォーカス位置の情報が記憶されたフォーカス位置情報記憶手段と、
前記無線タグ受信手段で前記無線タグから前記ユーザ特定情報が受信されると、前記フォーカス位置情報記憶手段に記憶されたフォーカス位置の情報に基づいて前記フォーカス位置調整手段を制御し、前記無線タグ受信手段が設置された撮影ポイントに対応するフォーカス位置に前記撮影レンズのフォーカス位置を変更させるフォーカス制御手段と、
を備えたことを特徴とする請求項１に記載の自動撮影システム。
【請求項３】
所定の画像表示ポイントに設置された表示手段と、
前記画像表示ポイントに設置され、前記ユーザに携帯された前記無線タグから前記ユーザ特定情報を受信する第２の無線タグ受信手段と、
前記第２の無線タグ受信手段で前記無線タグから前記ユーザ特定情報を受信すると、受信したユーザ特定情報に対応する画像データを前記記録手段から読み出し、前記表示手段に表示させる表示制御手段と、
前記画像表示ポイントに設置され、前記表示手段に表示された画像のプリント指示を入力するプリント指示手段と、
前記表示手段に表示された画像をプリントし、写真プリントを生成するプリント手段と、
前記プリント指示手段から入力されたプリント指示に基づいて前記表示手段に表示された画像を前記プリント手段にプリントさせるプリント制御手段と、
を備えたことを特徴とする請求項１又は２に記載の自動撮影システム。
【請求項４】
前記画像表示ポイントに前記無線タグを回収する回収手段を備え、該回収手段に回収された無線タグから前記第２の無線タグ受信手段でユーザ特定情報を受信することを特徴とする請求項３に記載の自動撮影システム。
【請求項５】
前記写真プリントに前記ユーザ特定情報に対応するプリント情報を書き込むプリント情報書き込み手段と、
所定の焼き増しポイントに設置され、前記写真プリントに書き込まれたプリント情報を読み取るプリント情報読み取り手段と、
前記プリント情報読み取り手段で読み取ったプリント情報から前記ユーザ特定情報を取得するとともに、該ユーザ特定情報に対応する画像データを前記記録手段から読み出し、プリントする焼き増しプリント手段と、
を備えたことを特徴とする請求項３又は４に記載の自動撮影システム。
【発明の詳細な説明】
【技術分野】
【０００１】
本発明は自動撮影システムに係り、特に暗所に設定された撮影ポイントを通過する被写体を自動で撮影する自動撮影システムに関する。
【背景技術】
【０００２】
アミューズメントパークなどでは、たとえばジェットコースタの搭乗者へのサービスとして、ジェットコースタが特定の撮影ポイントを通過すると、自動で撮影を行ない、その撮影結果のプリントをアトラクションの出口で搭乗者に受け渡すというサービスが従来より行なわれている。
【０００３】
また、暗所において被写体を自動撮影するシステムとして、特許文献１には、暗所に設定された撮影ポイントに赤外線センサを設置し、この赤外線センサで被写体が撮影ポイントを通過したことを検出して、自動撮影を行うことが提案されている。
【特許文献１】特開平６−６７２６６号公報
【発明の開示】
【発明が解決しようとする課題】
【０００４】
しかしながら、アミューズメントパーク等で行なわれている従来の自動撮影システムは、上記ジェットコースタの例のように、アトラクションに入場してくる来園者を順番に撮影し、その撮影結果のプリントを出口から順番に出てくる来園者に受け渡す場合にしか適用することができず、順不同に出口から来園者が出てくるアトラクションでは使用できないという点がある。
【０００５】
特許文献１の自動撮影システムも同様に自動撮影はできても、被写体となった人物を特定してプリントを渡すことはできないという欠点がある。
【０００６】
また、暗所における自動撮影では、補助光等を使用しない限り、オートフォーカス機構（ＡＦ機構）も使用できないため、被写体にピントを合わせて撮影することが難しいという欠点もある。
【０００７】
本発明は、このような事情に鑑みてなされたもので、暗所に設定された撮影ポイントを通過する被写体にピントを合わせて自動で撮影でき、撮影結果を被写体となった人物に確実に配布することができる自動撮影システムを提供することを目的とする。
【課題を解決するための手段】
【０００８】
請求項１に係る発明は、前記目的を達成するために、暗所に設定された撮影ポイントを通過する被写体を自動で撮影する自動撮影システムにおいて、撮影レンズで捉えた被写体の光学像を撮像素子で撮像し、画像データを出力する撮影手段であって、前記撮影ポイントを通過する被写体にピントが合うように、あらかじめ前記撮影レンズのフォーカス位置が設定された撮影手段と、前記撮影手段から出力された画像データを記録する記録手段と、被写体となるユーザに携帯され、該ユーザを特定するユーザ特定情報が記録された無線タグと、前記撮影ポイントに設置され、前記無線タグを携帯したユーザが前記撮影ポイントを通過する際、前記無線タグから前記ユーザ特定情報を受信する無線タグ受信手段と、前記無線タグ受信手段で前記無線タグから前記ユーザ特定情報が受信されると、前記撮影手段に撮影処理を実行させる撮影制御手段と、前記撮影手段から出力された画像データを前記無線タグから得られたユーザ特定情報と関連付けて前記記録手段に記録させる記録制御手段と、からなることを特徴とする自動撮影システムを提供する。
【０００９】
本発明によれば、無線タグを携帯したユーザが、所定の撮影ポイントを通過すると、その撮影ポイントに設置された無線タグ受信手段にユーザに携帯された無線タグからユーザ特定情報が受信される。そして、無線タグ受信手段にユーザ特定情報が受信されると、撮影手段によって撮影処理が実行させ、その画像データが記録手段に記録される。この際、画像データは、ユーザ特定情報に関連付けられて記録手段に記録される。これにより、被写体の特定が可能になり、被写体となった者に確実に画像の受け渡しを行なうことができるようになる。また、撮影手段に備えられた撮影レンズは、あらかじめ撮影ポイントを通過する被写体にピントが合うようにフォーカス位置が定められているため、暗所においても被写体にピントが合った撮影を行なうことができる。
【００１０】
また、請求項２に係る発明は、前記目的を達成するために、前記撮影手段は、複数の撮影ポイントを通過する被写体を撮影可能であって、前記撮影レンズのフォーカス位置を調節するフォーカス位置調節手段と、前記各撮影ポイントごとに設定すべき前記撮影レンズのフォーカス位置の情報が記憶されたフォーカス位置情報記憶手段と、前記無線タグ受信手段で前記無線タグから前記ユーザ特定情報が受信されると、前記フォーカス位置情報記憶手段に記憶されたフォーカス位置の情報に基づいて前記フォーカス位置調整手段を制御し、前記無線タグ受信手段が設置された撮影ポイントに対応するフォーカス位置に前記撮影レンズのフォーカス位置を変更させるフォーカス制御手段と、を備えたことを特徴とする請求項１に記載の自動撮影システムを提供する。
【００１１】
本発明によれば、撮影手段が複数の撮影ポイントを通過する被写体にピントを合わせて撮影することができる。すなわち、各撮影ポイントごとに設定すべきフォーカス位置があらかじめ定められており、その情報がフォーカス位置情報記憶手段に記憶されている。無線タグ受信手段でユーザ特定情報を受信した場合は、その無線タグ受信手段が設置された撮影ポイントに対応する撮影レンズのフォーカス位置の情報をフォーカス位置情報記憶手段から読み出し、その位置に撮影レンズのフォーカス位置を設定して撮影する。これにより、どの撮影ポイントにおいても常に被写体にピントを合わせて撮影を行なうことができる。
【００１２】
また、請求項３に係る発明は、前記目的を達成するために、所定の画像表示ポイントに設置された表示手段と、前記画像表示ポイントに設置され、前記ユーザに携帯された前記無線タグから前記ユーザ特定情報を受信する第２の無線タグ受信手段と、前記第２の無線タグ受信手段で前記無線タグから前記ユーザ特定情報を受信すると、受信したユーザ特定情報に対応する画像データを前記記録手段から読み出し、前記表示手段に表示させる表示制御手段と、前記画像表示ポイントに設置され、前記表示手段に表示された画像のプリント指示を入力するプリント指示手段と、前記表示手段に表示された画像をプリントし、写真プリントを生成するプリント手段と、前記プリント指示手段から入力されたプリント指示に基づいて前記表示手段に表示された画像を前記プリント手段にプリントさせるプリント制御手段と、を備えたことを特徴とする請求項１又は２に記載の自動撮影システムを提供する。
【００１３】
本発明によれば、所定の画像表示ポイントでユーザに携帯された無線タグからユーザ特定情報が第２の無線タグ受信手段に受信される。そして、その第２の無線タグ受信手段に受信されたユーザ特定情報に対応する画像データが記録手段から読み出され、表示手段に表示される。この表示手段に表示された画像のプリントを希望する場合は、プリント指示手段からプリント指示を入力し、このプリント指示が入力されると、表示手段に表示された画像がプリント手段によってプリントされる。これにより、撮影画像の写真プリントを被写体となったユーザに確実に受け渡すことができる。
【００１４】
また、請求項４に係る発明は、前記目的を達成するために、前記画像表示ポイントに前記無線タグを回収する回収手段を備え、該回収手段に回収された無線タグから前記第２の無線タグ受信手段でユーザ特定情報を受信することを特徴とする請求項３に記載の自動撮影システムを提供する。
【００１５】
本発明によれば、画像表示ポイントに無線タグの回収手段が備えられており、その回収手段に回収された無線タグから第２の無線タグ受信手段によってユーザ特定情報が受信される。
【００１６】
また、請求項５に係る発明は、前記目的を達成するために、前記写真プリントに前記ユーザ特定情報に対応するプリント情報を書き込むプリント情報書き込み手段と、所定の焼き増しポイントに設置され、前記写真プリントに書き込まれたプリント情報を読み取るプリント情報読み取り手段と、前記プリント情報読み取り手段で読み取ったプリント情報から前記ユーザ特定情報を取得するとともに、該ユーザ特定情報に対応する画像データを前記記録手段から読み出し、プリントする焼き増しプリント手段と、を備えたことを特徴とする請求項３又は４に記載の自動撮影システムを提供する。
【００１７】
本発明によれば、撮影画像の写真プリントにユーザ特定情報に対応するプリント情報が書き込まれ、そのプリント情報に基づいて写真プリントの焼き増しを行なうことができる。すなわち、写真プリントに書き込まれたプリント情報を焼き増しポイントに設置されたプリント情報読み取り手段に読み取らせると、そのプリント情報からユーザ特定情報が取得され、そのユーザ特定情報に対応する画像データが記憶手段から読み出されて焼き増しプリント手段でプリントされる。
【発明の効果】
【００１８】
本発明によれば、暗所に設定された撮影ポイントを通過する被写体を自動で撮影でき、その撮影した画像と被写体とを関連付けて記録手段に記録することができる。これにより、自動撮影した画像を被写体となった者に確実に受け渡すことができる。また、撮影手段に備えられた撮影レンズは、あらかじめ撮影ポイントを通過する被写体にピントが合うようにフォーカス位置が定められているため、暗所においても被写体にピントが合った撮影を行なうことができる。
【発明を実施するための最良の形態】
【００１９】
以下、添付図面に従って本発明に係る自動撮影システムの好ましい実施の形態について詳説する。
【００２０】
図１は本発明に係る自動撮影システムの一実施形態を示すシステム構成図である。この自動撮影システムは、アミューズメントパークにおいて、特定のアトラクションの利用者を自動で撮影するシステムであって、アトラクション施設内の特定の撮影ポイントを利用者が通過すると、それを検知して利用者を自動撮影する。そして、その撮影結果をディスプレイに表示し、希望者にプリントとして配布するものである。
【００２１】
図１に示すように、この自動撮影システムは、アトラクション施設１０の内部でアトラクション利用者（被写体）を撮影／記録する撮影／記録部２０と、撮影部／記録部２０で撮影／記録された画像を表示し、利用者からの要求に応じてプリントする表示／プリント部３０とで構成されている。
【００２２】
なお、本実施の形態では、お化け屋敷のように内部が暗いアトラクション施設１０において、特定の撮影ポイントＰを通過するアトラクション利用者１２を自動撮影するものとする。アトラクション利用者１２は、アトラクション施設１０の入口部に設置された受付カウンタ１４で無線タグ付きキャップ１６を受け取り、その無線タグ付きキャップ１６を被ってアトラクション施設１０の入口１０Ａからアトラクション施設１０内に入場する。アトラクション施設１０内では、所定の順路に従って歩き進み、出口１０Ｂから退場する。そして、出口部に設置された返却カウンタ１８で被っていた無線タグ付きキャップ１６を返却する。このアトラクション利用者１２が被る無線タグ付きキャップ１６には、ユーザ特定情報が記録された無線タグを組み込む。
【００２３】
無線タグ１は、図２に示すように、無線通信ＩＣ２と通信用のアンテナ３を備えた通信モジュールであり、ＲＦＩＤタグ、非接触ＩＤタグ、無線ＩＤタグ又は非接触タグなどと呼ばれることもある。無線タグ１のＩＣ部分には、データを格納する不揮発性メモリ４と無線通信用のＲＦ回路５、及びこれらをつなぐロジック回路６が集積されている。不揮発性メモリ４には、ＥＥＰＲＯＭなどの書き換え可能なメモリを用いることも可能であるし、書き換え不能なメモリを用いる態様もある。ユーザ特定情報は、この不揮発性メモリ４に記録される。通信用のアンテナ３は、ＩＣチップに集積されている構成でもよいし、ＩＣに対して外付けの構成でもよい。
【００２４】
無線タグ１に記録されたユーザ特定情報の読み取りには、リーダと呼ばれる無線タグ受信装置７を使用する。無線タグ受信装置７は、アンテナ８から電波（質問波）を発信しており、無線タグ１は、この無線タグ受信装置７から発信された電波をアンテナ３で受信する。そして、その受信した電波を使って電磁誘導で発電し、ＩＣ回路を作動させて不揮発性メモリ４に記録されたユーザ特定情報を無線（応答波）で発信する。無線タグ受信装置７は、この無線タグ１から発信された応答波をアンテナ８で受信し、ユーザ特定情報を読み取る。
【００２５】
なお、本実施の形態では、日付と入場番号（入場順の通し番号）を組み合わせた番号をユーザ特定情報に使用する。この場合、たとえば２００３年１月１日の１０番目の入場者には、無線タグに「２００３０１０１００１０」というユーザ特定情報が記録された無線タグ付きキャップ１６が貸与される。このユーザ特定情報は、あらかじめ無線タグ付きキャップ１６に書き込んでおいてもよいし、無線タグ付きキャップ１６を貸与する際、書き込むようにしてもよい。ユーザ特定情報の書き込みには、無線タグライタを使用して書き込む。
【００２６】
撮影／記録部２０は、アトラクション施設内の特定の撮影ポイントＰでアトラクション利用者１２を撮影するデジタルカメラ２２と、そのデジタルカメラ２２で撮影された画像データを記録する画像管理サーバ２４と、撮影ポイントＰを通過するアトラクション利用者１２の無線タグからユーザ特定情報を受信する撮影用無線タグ受信装置７Ａと、その撮影用無線タグ受信装置７Ａで受信したユーザ特定情報に基づいてデジタルカメラ２２の撮影制御及び画像管理サーバ２４への記録制御を行なう撮影／記録制御部２６とで構成されている。
【００２７】
デジタルカメラ２２は、撮影レンズ２８で捉えた被写体の光学像を撮像素子で光電変換し、所定の信号処理を施して電子画像データを撮影／記録制御部２６に出力する。このデジタルカメラ２２は、撮影ポイントＰを通過する被写体を最適な状態で撮影できるように、あらかじめアングル及び画角が調整されてアトラクション施設内の所定位置に設置されている。また、デジタルカメラ２２に備えられた撮影レンズ２８は、撮影ポイントＰを通過する被写体にピントが合うようにフォーカス位置が設定されている。
【００２８】
画像管理サーバ２４は、撮影／記録制御部２６からの指令に応じてデジタルカメラ２２で撮影された画像データを内部記録媒体（たとえば、ハードディスクドライブ）に記録する。この際、画像データには、撮影時に受信したユーザ特定情報が付されて記録される。また、後述するように、表示／プリント制御部３６からの指令に応じて内部記録媒体に記録された画像データを表示／プリント部３０に読み出す。
【００２９】
撮影用無線タグ受信装置７Ａは、撮影ポイントＰに設置されており、アトラクション利用者１２が撮影ポイントＰに到達すると、そのアトラクション利用者１２が被った無線タグ付きキャップ１６からユーザ特定情報を受信する。この撮影用無線タグ受信装置７Ａで受信されたユーザ特定情報は、撮影／記録制御部２６に出力される。
【００３０】
撮影／記録制御部２６は、撮影用無線タグ受信装置７Ａから入力されるユーザ特定情報に基づいてデジタルカメラ２２に撮影処理を実行させ、得られた画像データを画像管理サーバ２４に記録させる。すなわち、撮影／記録制御部２６は、撮影用無線タグ受信装置７Ａからユーザ特定情報が入力されると、デジタルカメラ２２に撮影指令を出力し、画像を撮像させる。そして、そのデジタルカメラ２２から出力された画像データにユーザ特定情報を付加して画像管理サーバ２４に記録させる。
【００３１】
ここで、上記のように、デジタルカメラ２２は、撮影用無線タグ受信装置７Ａでユーザ特定情報が受信されると、撮影が実行されるが、デジタルカメラ２２は、その撮影レンズ２８のフォーカス位置が、あらかじめ撮影ポイントＰを通過する被写体にピントが合うように設定されているため、ピント調整等を行なわなくても、常に撮影ポイントＰを通過する被写体にピントが合った画像を撮影することができる。
【００３２】
表示／プリント部３０は、画像管理サーバ２４から読み出した画像を表示するディスプレイ３２と、そのディスプレイ３２に表示された画像のプリント注文を受け付け、プリントするプリンタ３４と、返却カウンタ１８に返却された無線タグ付きキャップ１６の無線タグからユーザ特定情報を受信する表示用無線タグ受信装置７Ｂと、その撮影用無線タグ受信装置７Ａで受信したユーザ特定情報に基づいて対応する画像データを画像管理サーバ２４から読み出し、ディスプレイ３２に表示させるとともに、アトラクション利用者１２からのプリント注文に応じてディスプレイに表示された画像をプリンタ３４にプリント出力させる表示／プリント制御部３６とで構成されている。
【００３３】
ディスプレイ３２は、ＬＣＤやＣＲＴ等の表示装置で構成されており、無線タグ付きキャップ１６の返却カウンタ１８と同じアトラクション１０の出口部（画像表示ポイント）に設置されている。このディスプレイ３２は、表示／プリント制御部３６から出力される画像データ及び所定の文字データを表示する。
【００３４】
プリンタ３４は、返却カウンタ１８に隣接して設置されており、その上面に操作部３４Ａを備えている。操作部３４Ａは、たとえばタッチパネルで構成され、この操作部３４Ａからプリント注文を行なうようにされている。操作部３４Ａから入力されたプリント注文情報（たとえば、プリント枚数とプリントサイズ）は、表示／プリント制御部３６に出力され、表示／プリント制御部３６は、このプリント注文情報に基づいてプリンタ３４に印刷処理を実行させる。プリンタ３４には熱転写プリンタが用いられ、生成されたプリントがプリント受取口３４Ｂから排出される。なお、プリンタ３４には、この他インクジェットプリンタ、銀塩写真デジタルプリンタ等のプリンタを用いることも可能である。
【００３５】
表示用無線タグ受信装置７Ｂは、返却カウンタ１８に設置されており、アトラクション利用者１２が無線タグ付きキャップ１６を返却カウンタ１８に返却すると、その返却された無線タグ付きキャップ１６からユーザ特定情報を受信する。この表示用無線タグ受信装置７Ｂで受信されたユーザ特定情報は、表示／プリント制御部３６に出力される。
【００３６】
表示／プリント制御部３６は、表示用無線タグ受信装置７Ｂから入力されるユーザ特定情報に基づいて対応する画像データを画像管理サーバ２４から画像データを読み出し、ディスプレイ３２に表示させるとともに、プリンタ３４の操作部３４Ａからのプリント注文情報に応じて、そのディスプレイ３２に表示された画像の印刷処理をプリンタ３４に実行させる。すなわち、表示／プリント制御部３６は、表示用無線タグ受信装置７Ｂからユーザ特定情報を入力すると、そのユーザ特定情報に対応する画像データを画像管理サーバ２４から画像データを読み出す。そして、表示用の所定の信号方式に変換して、ディスプレイ３２に出力し、ディスプレイ３２に画像を表示させる。また、プリンタ３４の操作部３４Ａからのプリント注文情報を入力すると、そのプリント注文情報に応じてディスプレイ３２に表示されている画像の画像データをプリンタ３４に出力し、プリンタ３４に印刷処理を実行させる。
【００３７】
次に、上記のように構成された本実施の形態の自動撮影システムの処理の流れを図３に基づいて説明する。
【００３８】
まず、アトラクション利用者１２は、アトラクション施設１０の入口部に設置された受付カウンタ１４でユーザ特定情報が記録された無線タグ付きキャップ１６を受け取る（ステップＳ１０）。アトラクション利用者１２は、この無線タグ付きキャップ１６を被りアトラクション施設１０に入場する（ステップＳ１１）。
【００３９】
アトラクション施設１０に入場したアトラクション利用者１２は、所定の順路に沿ってアトラクション施設内を歩き進む。そして、このアトラクション利用者１２が、あらかじめ設定された撮影ポイントＰに到達すると、アトラクション利用者１２が被った無線タグ付きキャップ１６からユーザ特定情報が撮影用無線タグ受信装置７Ａに受信される。
【００４０】
この撮影用無線タグ受信装置７Ａで受信されたユーザ特定情報が撮影／記録制御部２６に出力され、撮影／記録制御部２６は、このユーザ特定情報を入力すると（ステップＳ１２）、デジタルカメラ２２に撮影処理を実行させる（ステップＳ１３）。そして、そのデジタルカメラ２２から得た画像データを画像管理サーバ２４に出力し、撮影用無線タグ受信装置７Ａから入力したユーザ特定情報を付して画像管理サーバ２４に記憶させる（ステップＳ１４）。
【００４１】
このように、アトラクション利用者１２がアトラクション施設内の特定の撮影ポイントＰを通過すると、アトラクション利用者１２が被った無線タグ付きキャップ１６からユーザ特定情報が受信されて、撮影ポイントＰを通る瞬間の画像がデジタルカメラ２２により自動撮影される。そして、その撮影された画像データが、ユーザ特定情報に関連付けられて画像管理サーバ２４に記録される。
【００４２】
アトラクション施設１０から退場したアトラクション利用者１２は、アトラクション施設１０の出口部で使用していた無線タグ付きキャップ１６を返却カウンタ１８に返却する（ステップＳ１５）。この返却カウンタ１８に無線タグ付きキャップ１６が返却されると、その返却カウンタ１８に設けられた表示用無線タグ受信機７Ｂによって、返却された無線タグつきキャップ１６からユーザ特定情報が受信される（ステップＳ１６）。
【００４３】
表示用無線タグ受信機７Ｂで受信されたユーザ特定情報は、表示／プリント制御部３６に入力される。表示／プリント制御部３６は、この表示用無線タグ受信機７Ｂから入力したユーザ特定情報に対応する画像データを画像管理サーバ２４から読み出し（ステップＳ１７）、ディスプレイ３２に表示させる（ステップＳ１８）。そして、そのディスプレイ３２に表示した画像のプリントサービスの案内を開始する（ステップＳ１９）。
【００４４】
プリントサービスの案内は、たとえばディスプレイ３２にプリンタ３４の操作部３４Ａからプリント注文が可能である旨の表示を行って、アトラクション利用者１２にプリントサービスの利用を促す。また、タッチパネルで構成されたプリンタ３４の操作部３４Ａには、操作ガイダンスを表示し、その表示に従ってプリント注文ができるようにする。たとえば、プリントの要否、プリントする場合は枚数とサイズの入力を促し、プリント料金を受領する。
【００４５】
このように、プリントサービスの案内を行なって、プリント注文の有無を判定し（ステップＳ２０）、プリント注文が合った場合は、プリントを実行する（ステップＳ２１）。すなわち、プリンタ３４の操作部３４Ａから入力されたプリント注文情報に従ってディスプレイ３２に表示された画像を表示／プリント制御部３６がプリンタ３４にプリントさせる。そして、ディスプレイ３２の表示を消去する（ステップＳ２２）。一方、プリント注文が行なわれなかった場合は、プリント案内サービスを終了し、ディスプレイ３２の表示を消去する（ステップＳ２２）。
【００４６】
プリンタ３４で印刷された写真プリントは、プリンタ３４のプリント受取口３４Ｂから排出され、アトラクション利用者１２は、このプリント受取口３４Ｂから排出された写真プリントを受け取る。これにより、アトラクション利用者１２は、自分が写った写真プリントを確実に受け取ることができる。
【００４７】
以上説明したように、本実施の形態の自動撮影システムによれば、ユーザ特定情報が記録された無線タグからユーザ特定情報を受信することにより、暗所においても特定の撮影ポイントＰを通過する被写体を自動で撮影することができる。
【００４８】
また、撮影ポイントＰを通過する被写体にピントが合うように、あらかじめ撮影レンズ２８のフォーカス位置を設定しておくことにより、ピント合わせを行なわなくても、常に被写体にピントが合った画像を撮影することができる。
【００４９】
また、撮影時に受信したユーザ特定情報を撮影した画像データに関連付けて記録することにより、アトラクション利用者１２が写された画像データを容易に特定することができる。これにより、アトラクション利用者１２への撮影結果の表示及び写真プリントの配布を確実に行なうことができる。
【００５０】
なお、本実施の形態では、アトラクション施設内に１つの撮影ポイントＰを設定し、この撮影ポイントＰを通過する被写体を１台のデジタルカメラ２２で撮影する場合を例に説明したが、撮影ポイントの設定数及びデジタルカメラの設置台数は、これに限定されるものではない。たとえば、アトラクション施設内に複数の撮影ポイントを設定し、各撮影ポイントを通過する被写体を各撮影ポイントに設置されたデジタルカメラで撮影するようにしてもよい。この場合、画像管理サーバには、画像データにユーザ特定情報と撮影ポイントの情報（たとえば、各撮影ポイントに付された管理番号）又は撮影したデジタルカメラの情報（たとえば、各デジタルカメラに付された管理番号）を関連付けて記録することが好ましい。また、１つの撮影ポイントＰを通過する被写体を複数台のデジタルカメラで撮影するようにしてもよい。この場合、画像管理サーバには、画像データにユーザ特定情報と撮影したデジタルカメラの情報を関連付けて記録することが好ましい。
【００５１】
また、１台のデジタルカメラで複数の撮影ポイントを通過する被写体を撮影するようにしてもよい。図４は３つの撮影ポイントを通過する被写体を１台のデジタルカメラで撮影する場合の撮影部のシステム構成図である。
【００５２】
同図に示すように、ほぼ同一直線上に設定された撮影ポイントＰ1 、Ｐ2 、Ｐ3 には、それぞれ撮影用無線タグ受信装置７Ａ1 、７Ａ2 、７Ａ3 が設置されている。アトラクション利用者１２が各撮影ポイントＰ1 、Ｐ2 、Ｐ3 を通過すると、そのアトラクション利用者１２が被った無線タグ付きキャップ１６からユーザ特定情報が各撮影用無線タグ受信装置７Ａ1 、７Ａ2 、７Ａ3 に受信される。各撮影用無線タグ受信装置７Ａ1 、７Ａ2 、７Ａ3 は、その受信されたユーザ特定情報を撮影／記録制御部２６に出力する。撮影／記録制御部２６は、この撮影用無線タグ受信装置７Ａ1 、７Ａ2 、７Ａ3 からユーザ特定情報を入力すると、デジタルカメラ２２に撮影処理を実行させる。
【００５３】
この際、撮影／記録制御部２６は、撮影レンズ２８Ａのフォーカス位置調整を行なった後、デジタルカメラ２２に撮影処理を実行させる。すなわち、このデジタルカメラ２２に備えられた撮影レンズ２８Ａは、フォーカス位置調整機能を備えており、各撮影ポイントＰ1 、Ｐ2 、Ｐ3 ごとに、そこを通過する被写体にピントを合わせて撮影できるようにされている。
【００５４】
ここで、この撮影レンズ２８Ａのフォーカス位置調整は、あらかじめ各撮影ポイントＰ1 、Ｐ2 、Ｐ3 ごとに設定されたフォーカス位置Ｆ1 、Ｆ2 、Ｆ3 にフォーカスレンズを移動させることにより行なわれる。各フォーカス位置Ｆ1 、Ｆ2 、Ｆ3 は、各撮影ポイントＰ1 、Ｐ2 、Ｐ3 を通過する被写体にピントが合うように各撮影ポイントごとに設定され、その各撮影ポイントＰ1 、Ｐ2 、Ｐ3 に設定された撮影用無線タグ受信装置７Ａ1 、７Ａ2 、７Ａ3 に対応づけて撮影／記録制御部２６に備えられたメモリ（不図示）に記録される。
【００５５】
撮影／記録制御部２６は、撮影用無線タグ受信装置７Ａ1 、７Ａ2 、７Ａ3 からユーザ特定情報を入力すると、その撮影用無線タグ受信装置７Ａ1 、７Ａ2 、７Ａ3 に対応するフォーカス位置Ｆ1 、Ｆ2 、Ｆ3 にフォーカスレンズが移動するように、撮影レンズ２８Ａのレンズ駆動部２９を駆動制御する。たとえば、撮影用無線タグ受信装置７Ａ1 からユーザ特定情報を入力すると、その撮影用無線タグ受信装置７Ａ1 に対応するフォーカス位置Ｆ1 にフォーカスレンズが移動するように、撮影レンズ２８Ａのレンズ駆動部２９を駆動制御する。これにより、測距機構等を利用しなくても、各撮影ポイントを通過する被写体にピントを合わせて撮影することができる。
【００５６】
なお、本例では各撮影ポイントが、ほぼ同一直線上に設定された場合を例に説明したが、パン・チルト機構を備えた雲台を使用し、各撮影ポイントに合わせて撮影レンズの向きを最適な向きに自動で変えるようにしてもよい。
【００５７】
また、ズーム機構を備えた撮影レンズを使用し、各撮影ポイントに合わせて撮影レンズの画角を最適な画角に自動で変えるようにしてもよい。
【００５８】
さらに、デジタルカメラ２２にストロボ装置を取り付け、撮影に連動してストロボ光を発光させてもよい。
【００５９】
また、本実施の形態では、アトラクション利用者１２に無線タグ付きキャップ１６を貸与することにより、アトラクション利用者１２に無線タグを携帯させるようにしているが、無線タグを携帯させる方法は、これに限定されるものではない。この他、リストバンドやメガネ、チケット等に無線タグを組み込み、アトラクション利用者に携帯させるようにしてもよい。
【００６０】
さらに、本実施の形態では、アトラクション施設１０の入口部で無線タグ付きキャップ１６を貸与し、出口部で回収するようにしているが、無線タグの回収を不要として構成にしてもよい。たとえば、図５に示すように、アミューズメントパークの入園時に無線タグ付きのチケット１７を発行し、この無線タグ付きのチケット１７を携帯してパーク内を行動させるようにする。この場合、表示用無線タグ受信装置７Ｂはディスプレイ３２の近傍に設置し、アトラクション利用者１２がディスプレイ３２の前に立つと、そのアトラクション利用者１２に携帯された無線タグ付きチケット１７からユーザ特定情報を受信する。そして、表示／プリント制御部３６は、この表示用無線タグ受信装置７Ｂで受信したユーザ特定情報に基づいてディスプレイ３２に対応する画像を表示する。これにより、ディスプレイ３２の前にアトラクション利用者が立つと自動でアトラクション利用者が写された画像を表示させることができる。なお、無線タグが組み込まれたチケットを携帯させるのではなく、無線タグそのものを携帯させてもよいし、また無線タグが組み込まれたリストバンド等を携帯させるようにしてもよい。
【００６１】
また、本実施の形態では、アトラクション利用者１２にプリント注文の有無を問い合わせた後、ディスプレイ３２に表示された画像を消去するようにしているが、ディスプレイ３２又はプリンタ３４の前をアトラクション利用者１２が立ち去ると、自動で表示を消去するようにしてもよい。すなわち、たとえばディスプレイ３２の前に人が立つとオンになるセンサ（赤外線センサ等）を設け、そのセンサがオンになると、ディスプレイ３２に画像を表示し、オフになると、ディスプレイ３２の画像を消去するようにしてもよい。これにより、アトラクション利用者のみに画像を表示できるとともに、無駄な時間の表示を防ぐことができ、省電力化を図ることができる。
【００６２】
また、本実施の形態では、撮影した画像をプリンタ３４でプリントし、写真プリントとしてアトラクション利用者１２に配布するようにしているが、画像データをＣＤ−ＲＯＭ等の記録メディアに格納して配布するようにしてもよい。
【００６３】
さらに、本実施の形態では、ディスプレイ３２とプリンタ３４をアトラクション施設１０の出口部に設置しているが、他の箇所に設置するようにしてもよい。また、ディスプレイ３２とプリンタ３４を別の場所に設置するようにしてもよい。
【００６４】
また、写真プリントの焼き増しができるようにすることが好ましく、以下、この写真プリントの焼き増しシステムについて説明する。
【００６５】
図６は、写真プリントの焼き増しシステムのシステム構成図である。同図に示すように、焼き増しプリントは、アミューズメントパーク内の所定の位置に設置されたプリント端末５０で行なわれる。このプリント端末５０は、図示しないプリンタを内蔵しており、その上面にタッチパネル式の操作部５２とバーコードリーダ５４を備え、前面にプリント受取口５８を備えている。また、このプリント端末５０は、通信ケーブルを介して画像管理サーバ２４と接続されており、画像管理サーバ２４に記録された画像データの読み出しができるようにされている。プリント端末５０の全体の動作は、プリント制御部５６で統括的に制御されており、プリント制御部５６は、操作部５２及びバーコードリーダ５４からの入力情報に基づいて写真プリントを焼き増し処理する。
【００６６】
この焼き増しシステムでは、バーコードを利用して焼き増しする画像データの特定を行なう。すなわち、上述したように、所定の撮影ポイントＰで撮影された画像データは、アトラクション利用者１２の希望によりプリンタ３４でプリントされるが、このプリント時にユーザ特定情報をコード化したバーコードを裏面に付して写真プリントを出力する。焼き増しプリント時は、この写真プリントの裏面に付されたバーコードを読み取ることにより、写真プリントに対応するユーザ特定情報を読み取る。そして、読み取ったユーザ特定情報に対応する画像データを画像管理サーバ２４から読み出し、プリントする。
【００６７】
上記のように、構成された本実施の形態の焼き増しシステムの作用は、次のとおりである。
【００６８】
まず、アトラクション利用者１２は、アトラクション施設内で撮影された画像の写真プリントをプリンタ３４で受け取る（図１参照）。この写真プリントの裏面には、その写真プリントのプリント元となった画像データに対応するユーザ特定情報をコード化したバーコードが付される。
【００６９】
この写真プリントを見たアトラクション利用者が焼き増しプリントを希望する場合は、プリント端末５０の設置箇所へ行き、プリント端末５０から焼き増しプリントの注文を行なう。
【００７０】
まず、プリント端末５０のバーコードリーダ５４によって写真プリントの裏面にプリントされたバーコードを読み取り、ユーザ特定情報を取得する。プリント制御部５６は、このバーコードリーダで読み取ったユーザ特定情報に対応する画像データを画像管理サーバ２４から読み出す。
【００７１】
また、プリント制御部５６は、タッチパネルで構成された操作部５２にプリント注文の手順をガイダンス表示させる。アトラクション利用者は、この操作部５２に表示されたプリント注文の手順に従って所定のプリント注文情報（プリント枚数、プリントサイズ等）を操作部５２から入力する。プリント制御部５６は、その入力されたプリント注文情報に基づき画像管理サーバ２４から読み出した画像データをプリンタにプリントさせる。
【００７２】
このように、本実施の形態の焼き増しプリントシステムによれば、写真プリントにユーザ特定情報をコード化したバーコードを付してプリントすることにより、無線タグを返却した後であっても、その写真プリントの焼き増しを行なうことができる。
【００７３】
なお、本実施の形態では、ユーザ特定情報をコード化したバーコードを写真プリントに付し、このバーコードを読み取ることにより、焼き増しする写真プリントの画像データを画像管理サーバ２４から読み出しているが、焼き増しする写真プリントの画像データを画像管理サーバ２４から読み出す方法は、これに限定されるものではない。たとえば、写真プリントにユーザ特定情報に対応するプリント番号を付し、この番号をプリント端末５０に入力すると、入力した番号に対応する画像データを画像管理サーバ２４から読み出せるようにしてもよい。この場合、画像管理サーバ２４には、写真プリントの画像データに関連付けてプリント番号を記録しておく。
【００７４】
また、本実施の形態では、アミューズメントパーク内に設置されたプリント端末５０によって焼き増しプリントを行なうようにしているが、インターネット等を利用して、自宅などから注文できるようにしてもよい。
【００７５】
また、上述した実施の形態では、本発明をアミューズメントパーク内のアトラクション施設内で被写体を自動で撮影する場合を例に説明したが、本発明の適用は、これに限定されるものではなく、他の施設で使用することもできる。
【図面の簡単な説明】
【００７６】
【図１】本発明に係る自動撮影システムの一実施形態を示すシステム構成図
【図２】無線タグの構成を示すブロック図
【図３】自動撮影システムの処理の流れを示すフローチャート
【図４】３つの撮影ポイントを通過する被写体を１台のデジタルカメラで撮影する場合の撮影部のシステム構成図
【図５】本発明に係る自動撮影システムの他の実施の形態を示すシステム構成図
【図６】焼き増しシステムのシステム構成図
【符号の説明】
【００７７】
１…無線タグ、２…無線通信ＩＣ、３…アンテナ、４…不揮発性メモリ、７…無線タグ受信装置、７Ａ…撮影用無線タグ受信装置、７Ｂ…表示用無線タグ受信装置、１０…アトラクション施設、１２…アトラクション利用者、１４…受付カウンタ、１６…無線タグ付きキャップ、１８…返却カウンタ、２０…撮影／記録部、２２…デジタルカメラ、２４…画像管理サーバ、２６…撮影／記録制御部、２８…撮影レンズ、３０…表示／プリント部、３２…ディスプレイ、３４…プリンタ、３４Ａ…操作部、３４Ｂ…プリント受取口、３６…表示／プリント制御部、５０…プリント端末、５２…操作部、５４…バーコードリーダ、５６…プリント制御部、Ｐ…撮影ポイント
【図１】
2005073094.tif 000003
【図２】
2005073094.tif 000004
【図３】
2005073094.tif 000005
【図４】
2005073094.tif 000006
【図５】
2005073094.tif 000007
【図６】
2005073094.tif 000008